(57)【要約】【課題】  従来における情報表示装置にあっては、故障した表示ユニットを回避して文字を再配置するため、文字の配列が不自然になったり、文字が細くなったりするために読み難くなるといった問題や、表示しようとする文字数が多い場合には適用ができなくなるといった問題があった。【解決手段】  少なくとも２色の発光素子からなる表示画素２３をマトリックス状に配置し、該表示画素を点綴で点灯させることにより文字、図柄等の表示を行う情報板２と、前記情報板の前記発光素子における表示色が表示不能な状態であることを検出すると、正常な表示色の発光素子によって文字を表示するように制御する制御部３とから構成した情報表示装置である。【選択図】        図１
2005266531.tif 000002
【特許請求の範囲】
【請求項１】
少なくとも２色の発光素子からなる表示画素をマトリックス状に配置し、該表示画素を点綴で点灯させることにより文字、図柄等の表示を行う情報板と、前記情報板の前記発光素子における表示色が表示不能な状態であることを検出すると、正常な表示色の発光素子によって文字を表示するように制御する制御部とから構成したことを特徴とする情報表示装置。
【請求項２】
前記した制御部が、前記の文字、図柄等の表示データを転送・記憶する記憶部品の動作状態を表示ブロックを単位として検出する動作監視手段と、前記記憶部品の不良により何れかの表示色が表示不能になった場合に代替の表示色による表示を行うための表示色許可条件を表示ブロックの単位で記憶した記憶手段と、前記動作監視手段で検出された表示ブロックの動作状態と前記表示色許可条件とを照合し、その照合結果により前記表示ブロックに含まれる表示文字の表示色を設定された前記表示色許可条件の表示色に書換える表示色変換手段とから構成したことを特徴とする請求項１記載の情報表示装置。
【発明の詳細な説明】
【技術分野】
【０００１】
本発明は、２色以上の発光素子を１つの表示画素としてマトリックス状に配置し文字や図柄等を表示する情報表示装置に関し、特に、道路交通情報や道路気象情報等の表示に用いられる情報表示装置に関する。
【背景技術】
【０００２】
この種の情報表示装置の例として、例えば、特開平７−１９９８５１号公報に記載されている技術がある。
この発明には、従来例の図９に示す表示画素３をマトリックス状に配置した表示ユニット２を図８のように縦横に配置してなる情報表示装置１において、障害の発生した表示ユニット２の位置５１，６１に応じてそれぞれ図５のように図柄を外して文字の配置を変えたり、図６のように文字の一部を変更して文字数を少なくした上で文字の配置を変えたり、また、同じく障害の発生した表示ユニット２の位置４１に応じて、図４および図７のように文字（進入禁止）の横幅を細くしたりすることにより障害の発生した表示ユニットを回避して表示を行う方法が提案されている。
【特許文献１】特開平７−１９９８５１号公報
【発明の開示】
【発明が解決しようとする課題】
【０００３】
しかしながら、この提案にあっては、故障した表示ユニットを回避して文字を再配置するため、文字の配列が不自然になったり、文字が細くなったりするために読み難くなるといった問題や、表示しようとする文字数が多い場合には適用ができなくなるといった問題があった。
【０００４】
また、従来は、前記した表示ユニット２に表示データを記憶するシフトレジスタが各色毎に備えられているにも係わらず、何れのシフトレジスタが故障した場合においても表示ユニット故障として一様に処理されたといった問題があった。
【０００５】
本発明は前記した問題点を解決せんとするもので、その目的とするところは、故障を監視するための表示ブロックと表示ブロックに対する表示色許可条件とを設定し、表示ブロックに含まれる文字に指定された表示色と表示ブロックに設定された表示可能な表示色との比較を行い、文字に指定された表示色と表示可能な表示色とが不一致の場合において、各表示ブロックに含まれる文字に対する前記表示指定色を前記表示ブロックに設定された表示色に書換え、代替の表示色による表示を可能とする情報表示装置を提案せんとするものである。
【課題を解決するための手段】
【０００６】
本発明の情報表示装置は前記した目的を達成せんとするもので、請求項１の手段は、少なくとも２色の発光素子からなる表示画素をマトリックス状に配置し、該表示画素を点綴で点灯させることにより文字、図柄等の表示を行う情報板と、前記情報板の前記発光素子における表示色が表示不能な状態であることを検出すると、正常な表示色の発光素子によって文字を表示するように制御する制御部とから構成したものである。
【０００７】
請求項２の手段は、前記した請求項１の手段において、前記した制御部が、前記の文字、図柄等の表示データを転送・記憶する記憶部品の動作状態を表示ブロックを単位として検出する動作監視手段と、前記記憶部品の不良により何れかの表示色が表示不能になった場合に代替の表示色による表示を行うための表示色許可条件を表示ブロックの単位で記憶した記憶手段と、前記動作監視手段で検出された表示ブロックの動作状態と前記表示色許可条件とを照合し、その照合結果により前記表示ブロックに含まれる表示文字の表示色を設定された前記表示色許可条件の表示色に書換える表示色変換手段とから構成されたものである。
【発明の効果】
【０００８】
本発明は、表示情報に対して文字配置の変更や文字幅の縮小を行うのではなく、表示色の変更のみによって対応するため表示された情報に対する判読性を低下させることがないといった効果を有する。
【０００９】
また、前記の文字配置の変更や文字幅の縮小に伴なう複雑な演算が不要なため、コンピュ−タに対する負荷が少なく、表示色の変更を即時に処理することができるといった効果がある。
【００１０】
さらに、ハードウェアの要素がなくソフトウェアの変更のみによって実現可能な方法であるため、既設の情報表示装置の改造にも適用が容易であるといった効果を有するものである。
【発明を実施するための最良の形態】
【００１１】
本発明は、少なくとも２色の発光素子からなる表示画素をマトリックス状に配置した情報板において、該情報板の前記発光素子における表示色が表示不能な状態であることを検出すると、正常な表示色の発光素子によって少なくとも１つの文字を表示するように制御するものである。
【実施例１】
【００１２】
図１において、１は本発明の情報表示装置で、表示を行う情報板２と中央からの表示制御信号により前記情報板２を制御する制御部３とから構成される。
次に、情報板２は、赤色と黄緑色の各色用のシフトレジスタ２１Ｒ，２１Ｇとラッチ・ドライバ回路２２Ｒ，２２Ｇと赤色と黄緑色の発光素子２３Ｒと２３Ｇを収容した表示画素２３とによりなる表示ユニット２４とから構成される。
【００１３】
なお、情報板２は従来例と同様に発光素子として赤色と黄緑色のＬＥＤを１つのパッケージ（砲弾状ランプ）に収容した表示画素を１６×１６，２４×２４，３６×３６等のマトリックス状に配置した表示ユニットを縦横に配置した表示面を備えており、各表示ユニット２４は図２のように横方向にシリアル接続されているものとする。
【００１４】
また、前記シフトレジスタ２１Ｒ，２１Ｇは、制御部３からの表示データが入力されると表示画素２３の各色の発光素子２３Ｒと２３ＧをＯＮ／ＯＦＦさせると共に、後段のシフトレジスタに前記表示データを出力し、かつ、全ての表示データが配信された状態の表示データを保持する。次にラッチ・ドライバ回路２２Ｒ，２２Ｇは、制御部３からの図示しないラッチ信号を受信することによりシフトレジスタに記憶された「１」，「０」の状態信号を記憶し、また、制御部３からの図示しないイネーブル信号を受信することにより「１」の表示データを記憶したそれぞれの発光素子２３Ｒと２３Ｇを点灯する。
【００１５】
そこで、ラッチ・ドライバ回路２２Ｒに「１」の表示データが記憶された場合には、発光素子の赤色ＬＥＤが点灯するため表示画素２３は赤色に発光し、同じくラッチ・ドライバ回路２２Ｇに「１」が記憶された場合には、黄緑色ＬＥＤが点灯するため表示画素２３は黄緑色に発光することとなるため、ラッチ・ドライバ回路２２Ｒと２２Ｇに「１」「１」の表示データが記憶された場合には、赤色ＬＥＤと黄緑色ＬＥＤが同時に点灯して表示画素２３は混合色の橙色に発光することとなる。
【００１６】
次に、制御部３は、ＣＰＵ３１とＲＯＭ３２とＲＡＭ３３と動作監視部３４と表示色変換部３５と通信制御部３６と入出力部３７とから構成される。
動作監視部３４と表示色変換部３５とは、ＣＰＵ３１の内部において実行される機能である。ＲＯＭ３２にはＣＰＵ３１により一般的な表示を制御するための表示制御および本発明の機能を行うための表示色変換処理を実行する制御プログラムと、通信制御部３５により受信した表示情報中の文字コードを各文字コードに対する文字フォントに変換するための文字コード−フォント対応テーブルなどが記憶されている。
【００１７】
なお、情報板２には図３のように地区（例えば、「関が原−米原」を表示）を表示する表示ブロックＡと、原因（例えば、「凍結」を表示）と行為（例えば、「走行注意」）を表示する表示ブロックＢを設定する。そして、下記に説明するＲＡＭに記憶された表示色許可フラグ（＝表示色許可条件）には図４のように、地名のように赤色で表示しても黄緑色で表示しても支障の少ない表示ブロックＡに関しては「１」「１」の表示色許可フラグが立てられており、通常使用される橙色が表示不可の場合に赤色と黄緑色の何れの表示色も選択可能となっている。
【００１８】
一方、表示色に混合色の橙色または赤色が使用され、情報として重要な表示部分である表示ブロックＢに関しては「１」「０」の表示色許可フラグが立てられており、橙色が表示不可の場合に表示色として赤色のみが選択可能となっている。そのため、表示ブロックＡで赤色が表示できない場合には、表示ブロックＡで黄緑色のみを選択することは表示ユニットどうしが図２のようにシリアル接続されているために運用上できない。
【００１９】
次に、ＲＡＭ３３は、通信制御部３６から入力された表示情報（文字コード、表示色、表示位置）を図５に示す表示ブロック毎の各階層データとして記憶すると共に、故障したシフトレジスタの位置情報や、各表示ブロックに対して表示可能な表示色を記憶した表示色許可フラグや、ＣＰＵ３１によって前記の文字コード−フォント対応テーブルを基に作成された表示データおよびＣＰＵ３１によって実行された各種の演算結果を一時記憶する。
【００２０】
動作監視部３４は、故障した表示位置を検出する公知の技術で、前記の従来例のように情報板２の故障したシフトレジスタ２１Ｒと２１Ｇ以降の表示データが「１」または「０」の信号に化けて後段のシフトレジスタに転送されるため、シフトレジスタの入力／出力方向を反転させて制御部３に返送させた監視データとシフトレジスタに出力した前記の表示データとを照合し、データが不一致になった位置から故障したシフトレジスタを含む表示ブロックを検出する。
【００２１】
なお、表示色許可フラグを記憶したメモリには、図示しない表示故障位置→表示ユニット→表示ブロック（Ａ，Ｂ）への変換テーブルが含まれており、算出された表示ブロックと表示可能な表示色のデータがＲＡＭ３３に一時記憶される。
【００２２】
また、前記においては故障したシフトレジスタの位置を検出する方法として理解の容易な手法であるところの表示データと監視データを照合して故障位置を検出する方法を説明したが、故障した表示ユニットを検出する手法は種々の方法が提案されており、どのような手法を採用してもよいことは勿論のことである。
【００２３】
入出力部３６は、情報板２の各色のシフトレジスタ２１Ｒと２１Ｇに表示データを出力すると共に、シフトレジスタからの前記監視データを入力する。また、図示しない前記のラッチ信号や表示素子２３を点灯駆動するイネーブル信号やクロック信号を表示ユニット２４に対して出力する。
【００２４】
次に、表示ブロックＢに含まれる黄緑色用のシフトレジスタ２１Ｇが故障した場合にＲＯＭ３２に記憶された制御プログラムによって実行される表示色変換処理について図６のフローチャートを用いて説明する。
【００２５】
先ず、通信制御部３６によって受信（ステップＳ１）されたＪＩＳ文字コード、表示色および表示位置からなる表示情報を前記の図５のフォーマットによりＲＡＭ３３に記憶する（ステップＳ２）。
【００２６】
次に、文字コードとＲＯＭに記憶された文字コード−文字フォント変換テーブルと表示色および表示位置のデータを基に、表示データを各色毎に生成し（ステップＳ３）、ＲＡＭ３３に記憶すると共に、入出力部３６から情報板２の各シフトレジスタ２１Ｒと２１Ｇに出力する（ステップＳ４）。
【００２７】
なお、通信制御部３６によって受信される表示色データは１バイトのデータの内２ビットが利用され、赤色，黄緑色，橙色がそれぞれ「１０」，「０１」，「１１」の信号によって伝送される。
【００２８】
次に、シフトレジスタ２１Ｒまたは２１Ｇから入出力部３６に返送された監視データを入力（ステップＳ５）すると共に、入力した監視データを動作監視部３４でＲＡＭ３３に記憶された表示データと照合する（ステップＳ６）。そして、照合結果を表示ブロック毎に記憶（ステップＳ７) すると共に各色の監視データの照合が完了したかをＣＰＵ３１で判定し（ステップＳ８）、全ての表示色に対する監視データの照合が未完了の場合には、前記したステップＳ５に戻り、前記と同じ処理を繰り返し実行する。
【００２９】
また、前記したステップＳ８において、全ての表示色に対する照合が完了したと判定されると、次に、全ての照合が一致したか否かの監視が行われ一致したと判定されると各色のラッチ・ドライバ回路２２Ｒと２２Ｇに対して図示しないラッチ信号と点灯信号を出力し表示点灯制御（ステップＳ１０）を実行し、表示制御を終了する。
【００３０】
一方、ステップＳ９において不一致であると判定されると、橙色として色指定された表示色に対して橙色または赤色を用いて表示を行うため、初めにそれらに共通する表示色である赤色の動作状態を「赤色は一致」しているか否かとして判定を行う（ステップＳ１１）。そして、一致した表示色が黄緑色でなく赤色である場合には、重要項目を表示する表示ブロックＢにおいて黄緑色の表示色しか使用できないため故障した表示ユニットを回避して表示を行う前記した従来例と同様な表示制御を実行する（ステップＳ１９）。
【００３１】
一方、前記したステップＳ１１において一致した表示色が黄緑色と判定されると、ステップＳ７で記憶した表示ブロック毎の照合結果を読取り（ステップＳ１２）、かつ、表示ブロックに対する黄緑色の表示色許可フラグをそれぞれ読取り（ステップＳ１３）、前記照合結果と表示色許可フラグとを照合する（ステップＳ１４）。具体的には、図７のように各表示ブロックに対する黄緑色の照合結果と表示色許可フラグとを照合する。
【００３２】
そして、前記ステップＳ１４において照合結果が一致しているか否かの判定を行い（ステップＳ１５）、その照合結果が不一致であると判定した場合には前記したステップＳ１９に移行し、一致したと判定した場合には図３の表示ブロックＡに含まれる文字コードに対する表示色データをステップＳ１５で一致したデータに書換える（ステップＳ１６）。すなわち、図５のように記憶された表示ブロックＡと表示ブロックＢの橙色「１１」の表示色を、表示ブロックＡを橙色「１１」に、表示ブロックＢを赤色「１０」に書き換える。
【００３３】
次いで、各表示ブロックに対する表示色の書換えが完了したか否かの判定を行い（ステップＳ１７）、この判定において未完了の場合にはステップＳ１５に戻り、完了したと判定した場合には、表示色の書換えを行ったことを中央に通報（ステップＳ１８）すると共に、ステップＳ３に戻り表示データの作成を行う。以下、ステップＳ３〜Ｓ９の処理を実行し、新たな表示色による表示点灯制御ステップＳ１０を実行し処理を終了する。
【００３４】
なお、前記実施例では表示色許可フラグを予めＲＡＭ３３に記憶する場合について説明したが、中央からの表示情報に添付するようにしてもよい。
また、図６は本発明の技術思想を説明するための処理フローであって、このフローの内容および手順に限定されないことは言うまでもない。
【実施例２】
【００３５】
前記の実施例では表示ユニットを横方向にシリアル接続した場合について説明したが、図８のように縦にシリアル接続した場合について説明する。
この場合には、図９に示すように図柄を表示する表示ブロックＡと文字が表示される表示ブロックＢを設定し、前記の実施例と同じ表示色許可フラグを記憶する。これにより、表示面において大きな部分を占める表示ブロックＢの黄緑色用のシフトレジスタが故障しても、表示色を赤色に書換えて表示を継続することが可能となる。
【００３６】
なお、前記においては実施例１と実施例２共に表示ブロックＡと表示ブロックＢのシフトレジスタを１系統の信号線によりシリアル接続する方法を例示したが、本願発明は上記の実施例の接続方法に限定されないことは言うまでもなく、複数の系統の信号線により各表示ブロックを制御してもよい。この場合には、上位のブロックの表示色故障が下位のブロックに影響しないため、各表示ブロックに赤色、橙色の表示色許可フラグを設定することが可能となると共に赤色、黄緑色、橙色に留まらない多色による表示色の書換えが可能となる。
【００３７】
また、上記の実施例は、引例の特許のように故障した表示ユニットを切離し、後段のシフトレジスタに該当するシフトレジスタ分のデータを除く表示データを転送して表示を行うユニットパスの機能を備えない情報表示装置に対しても適用が可能な方法であるが、上記のユニットパスの機能を備えた情報表示装置の場合には、故障した表示ユニットを含む文字だけを表示可能な表示色に書換えればよいため、表示色の書換えを最少の文字単位とすることが可能になると共に前項と同様に多色による書換え（色表現）が可能となる。
【００３８】
例えば，図３において、表示ブロックＢを原因を表すブロックＢ１と行為を表すブロックＢ２に分割し、原因を表すブロックＢ１の黄緑色の表示データを記憶するシフトレジスタが故障した場合には、「凍結」の文字の表示色を上記の方法で「１０」に書換えると共に、原因を表すブロックＢ１の該当するシフトレジスタの切離しを行えばよい。これにより、「関が原−米原」と「走行注意」を指定された表示色の橙色で表示し、「凍結」のみを赤色によって表示することが可能となる。
【００３９】
本発明は上述のように、表示面に対して表示ブロックを設定すると共に指定された表示色が表示不能な場合に表示色許可条件の設定された代替の表示色による表示を行うことを発明の基本とするもので、故障したシフトレジスタなどの記憶部品を含む表示ユニットを回避して文字の配置を変更する従来の手法に対して、表示色を変更して表示に支障が無い代替の表示色によって同一の内容の表示を行う方法であるため、故障前と差異が無い表示をプログラムの軽微な変更によって実施することができる。
【図面の簡単な説明】
【００４０】
【図１】本発明に係る情報表示装置のシステムブロック図である。
【図２】表示ユニットの接続方法の一例を示すブロック図である。
【図３】情報板による表示状態を示す正面図である。
【図４】表示色許可フラグを説明するための図である。
【図５】表示ブロック毎に表示情報が格納されていることの説明図である。
【図６】図１のシステムブロックによる動作を説明するためのフローチャートである。
【図７】同上のフローチャートのステップＳ１４における照合結果と表示色許可フラグとの関係を示す図である。
【図８】実施例２における表示ユニットの接続方法を示すブロック図である。
【図９】実施例２における情報板による表示状態を示す正面図である。
【符号の説明】
【００４１】
１                情報表示装置
２                情報板
２１Ｒ，２１Ｇ    シフトレジスタ
２２Ｒ，２２Ｇ    ラッチ・ドライバ回路
２３Ｒ．２３Ｇ    ＬＥＤ
２３              表示画素
２４              表示ユニット
３                制御部
３１              ＣＰＵ
３２              ＲＯＭ
３３              ＲＡＭ
３４              動作監視部
３５              表示色変換部
３６              通信制御部
３７              入出力部
【図１】
2005266531.tif 000003
【図２】
2005266531.tif 000004
【図３】
2005266531.tif 000005
【図４】
2005266531.tif 000006
【図５】
2005266531.tif 000007
【図６】
2005266531.tif 000008
【図７】
2005266531.tif 000009
【図８】
2005266531.tif 000010
【図９】
2005266531.tif 000011